(57)【要約】【課題】  簡易な装置構成で非接触にて人または物の出入りを正確に監視することが困難であった。【解決手段】  管理される人または物に対して一意に用意されたタグと、同タグを読み取るための読み取り手段と、読み取られたタグの認否を決定する認証を管理する管理手段と、ゲートにゲートの状況を認識するためのタグを設置することでゲートの開閉状況を、タグを読み取ることで認知することができ、人または物のゲートの通過を検知する。【選択図】  図１
2011048750.tif 000002
【特許請求の範囲】
【請求項１】
壁によって第１の空間領域及び第２の空間領域に区切られた間に設けられ前記第１の空間領域側に開く扉と、
前記第２の空間領域側の前記扉の面に設けられた扉用の電子タグと、
管理対象となる人又は物に取り付けられて前記人又は物を特定する人物特定用の電子タグと、
前記第１の空間領域に設けられ前記人物特定用の電子タグの情報を読み取り、かつ前記扉が開いている場合には前記扉用の電子タグの情報を読み取り、前記扉が閉じている場合には前記扉用の電子タグの情報を読み取らない非接触の第１の読み取り手段と、
前記第２の空間領域に設けられ前記人物特定用の電子タグの情報を読み取る第２の読み取り手段と、
前記第１の読み取り手段及び前記第２の読み取り手段で読み取った情報に基づき前記人又は物の移動を管理する管理手段とを備えたことを特徴とする人物流管理装置。
【請求項２】
壁によって第１の空間領域及び第２の空間領域に区切られた間に設けられ前記第１の空間領域側に開く扉と、
前記第２の空間領域側の前記扉の枠部に設けられた扉用の電子タグと、
管理対象となる人又は物に取り付けられて前記人又は物を特定する人物特定用の電子タグと、
前記第１の空間領域に設けられ前記人物特定用の電子タグの情報を読み取り、かつ前記扉が開いている場合には前記扉用の電子タグの情報を読み取り、前記扉が閉じている場合には前記扉用の電子タグの情報を読み取らない非接触の第１の読み取り手段と、
前記第２の空間領域に設けられ前記人物特定用の電子タグの情報を読み取る第２の読み取り手段と、
前記第１の読み取り手段及び前記第２の読み取り手段で読み取った情報に基づき前記人又は物の移動を管理する管理手段とを備えたことを特徴とする人物流管理装置。
【請求項３】
壁によって第１の空間領域及び第２の空間領域に区切られた間に設けられた左右方向に稼働するスライド式のドアと、
前記ドアが開く際に前記ドアを収納し電波を遮蔽するドア収納部と、
前記第１の空間領域側の前記ドアの面に設けられたドア用の電子タグと、
管理対象となる人又は物に取り付けられて前記人又は物を特定する人物特定用の電子タグと、
前記第１の空間領域に設けられ前記人物特定用の電子タグの情報を読み取り、かつ前記ドアが閉じている場合には前記ドア用の電子タグの情報を読み取り、前記ドアが開いている場合には前記ドア用の電子タグの情報を読み取らない非接触の第１の読み取り手段と、
前記第２の空間領域に設けられ前記人物特定用の電子タグの情報を読み取る第２の読み取り手段と、
前記第１の読み取り手段及び前記第２の読み取り手段で読み取った情報に基づき前記人又は物の移動を管理する管理手段とを備えたことを特徴とする人物流管理装置。
【請求項４】
壁によって第１の空間領域及び第２の空間領域に区切られた間に設けられた左右方向に稼働するスライド式のドアと、
前記第２の空間領域側の前記ドアの枠部に設けられたドア枠部用の電子タグと、
管理対象となる人又は物に取り付けられて前記人又は物を特定する人物特定用の電子タグと、
前記第１の空間領域に設けられ前記人物特定用の電子タグの情報を読み取り、かつ前記ドアが開いている場合には前記ドア枠部用の電子タグの情報を読み取り、前記ドアが閉じている場合には前記ドア枠部用の電子タグの情報を読み取らない非接触の第１の読み取り手段と、
前記第２の空間領域に設けられ前記人物特定用の電子タグの情報を読み取る第２の読み取り手段と、
前記第１の読み取り手段及び前記第２の読み取り手段で読み取った情報に基づき前記人又は物の移動を管理する管理手段とを備えたことを特徴とする人物流管理装置。
【請求項５】
壁によって第１の空間領域及び第２の空間領域に区切られた間に設けられた出入口周辺の床に網目状に複数の床用の電子タグを設け、
第１及び第２の読み取り手段は床用の電子タグの情報を読み取り、
管理手段は人又は物の軌跡に基づいて前記人又は物の移動を管理することを特徴する請求項１から４のいずれか１項に記載の人物流管理装置。
【発明の詳細な説明】
【技術分野】
【０００１】
この発明は、電波による個体識別を行うＲＦＩＤ（Ｒａｄｉｏ  Ｆｒｅｑｕｅｎｃｙ  Ｉｄｅｎｔｉｆｉｃａｔｉｏｎ）を始めとする、非接触にて読み取り可能な、固有の情報を持つ電子タグ、及び、タグの読み取り装置を応用した、人又は／及び物の流れを管理する人物流管理装置に関するものである。
【背景技術】
【０００２】
ＲＦＩＤを始めとする非接触に固有のＩＤを認証する装置において、例えば、ＵＨＦ帯を用いたＲＦＩＤを利用した入退室管理システムでは認証可能な範囲が広いために、入室者と退室者とを区別して認証することが難しく、このため管理装置を多数様々な場所に設置することにより、入室者と退室者とを区別しようとしていた。（例えば特許文献１）。
【先行技術文献】
【特許文献】
【０００３】
【特許文献１】特開２００８−２０６０６６
【発明の概要】
【発明が解決しようとする課題】
【０００４】
前述の特許文献１を例に説明する。従来の手法では、例えば、建物の扉にＲＦＩＤなどの非接触タグを用いた認証システムを設置し、入退室の管理を行うとき、特許文献１の図２のように、扉の片側２箇所に計４つのＲＦＩＤリーダ（アンテナ）を、２箇所に配置することになる。各アンテナを６０度傾けて、設置することによりアンテナの検知範囲（図中の円）が扉の両面中央部で重なるようになる。この状態でタグを持った人物が扉を通過すると、６つの円で示される検知範囲の通過順序から通過方向を割り出すことができる。しかしながら、可動式の扉の影響（反射・陰）で検知範囲が変化し誤動作を発生したり、アンテナの設置が複雑であったりするなどの問題がある。
【０００５】
この発明は、上記のような問題点を解決するためになされたものであり、簡易な装置構成で誤作動を防止することを目的とするものである。
【課題を解決するための手段】
【０００６】
この発明に係る人物流管理装置は、壁によって第１の空間領域及び第２の空間領域に区切られた間に設けられ第１の空間領域側に開く扉と、第２の空間領域側の扉の面に設けられた扉用の電子タグと、管理対象となる人又は物に取り付けられて人又は物を特定する人物特定用の電子タグと、第１の空間領域に設けられ人物特定用の電子タグの情報を読み取り、かつ扉が開いている場合には扉用の電子タグの情報を読み取り、扉が閉じている場合には扉用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたものである。
【０００７】
また、この発明に係る人物流管理装置は、壁によって第１の空間領域及び第２の空間領域に区切られた間に設けられ第１の空間領域側に開く扉と、第２の空間領域側の扉の枠部に設けられた扉用の電子タグと、管理対象となる人又は物に取り付けられて人又は物を特定する人物特定用の電子タグと、第１の空間領域に設けられ人物特定用の電子タグの情報を読み取り、かつ扉が開いている場合には扉用の電子タグの情報を読み取り、扉が閉じている場合には扉用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたものである。
【０００８】
さらに、この発明に係る人物流管理装置は、壁によって第１の空間領域及び第２の空間領域に区切られた間に設けられた左右方向に稼働するスライド式のドアと、ドアが開く際にドアを収納し電波を遮蔽するドア収納部と、第１の空間領域側のドアの面に設けられたドア用の電子タグと、管理対象となる人又は物に取り付けられて人又は物を特定する人物特定用の電子タグと、第１の空間領域に設けられ人物特定用の電子タグの情報を読み取り、かつドアが閉じている場合にはドア用の電子タグの情報を読み取り、ドアが開いている場合にはドア用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたものである。
【０００９】
また、この発明に係る人物流管理装置は、壁によって第１の空間領域及び第２の空間領域に区切られた間に設けられた左右方向に稼働するスライド式のドアと、第２の空間領域側のドアの枠部に設けられたドア枠部用の電子タグと、管理対象となる人又は物に取り付けられて人又は物を特定する人物特定用の電子タグと、第１の空間領域に設けられ人物特定用の電子タグの情報を読み取り、かつドアが開いている場合にはドア枠部用の電子タグの情報を読み取り、ドアが閉じている場合にはドア用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたものである。
【発明の効果】
【００１０】
この発明に係る人物流管理装置によれば、壁によって第１の空間領域及び第２の空間領域に区切られた間に設けられ第１の空間領域側に開く扉と、第２の空間領域側の扉の面に設けられた扉用の電子タグと、管理対象となる人又は物に取り付けられて人又は物を特定する人物特定用の電子タグと、第１の空間領域に設けられ人物特定用の電子タグの情報を読み取り、かつ扉が開いている場合には扉用の電子タグの情報を読み取り、扉が閉じている場合には扉用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたので、簡易な装置構成で誤作動を防止することができる。
【００１１】
また、この発明に係る人物流管理装置によれば、壁によって第１の空間領域及び第２の空間領域に区切られた間に設けられ第１の空間領域側に開く扉と、第２の空間領域側の扉の枠部に設けられた扉用の電子タグと、管理対象となる人又は物に取り付けられて人又は物を特定する人物特定用の電子タグと、第１の空間領域に設けられ人物特定用の電子タグの情報を読み取り、かつ扉が開いている場合には扉用の電子タグの情報を読み取り、扉が閉じている場合には扉用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたので、簡易な装置構成で誤作動を防止することができる。
【００１２】
さらに、この発明に係る人物流管理装置によれば、壁によって第１の空間領域及び第２の空間領域に区切られた間に設けられた左右方向に稼働するスライド式のドアと、ドアが開く際にドアを収納し電波を遮蔽するドア収納部と、第１の空間領域側のドアの面に設けられたドア用の電子タグと、管理対象となる人又は物に取り付けられて人又は物を特定する人物特定用の電子タグと、第１の空間領域に設けられ人物特定用の電子タグの情報を読み取り、かつドアが閉じている場合にはドア用の電子タグの情報を読み取り、ドアが開いている場合にはドア用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたので、簡易な装置構成で誤作動を防止することができる。
【００１３】
また、この発明に係る人物流管理装置によれば、壁によって第１の空間領域及び第２の空間領域に区切られた間に設けられた左右方向に稼働するスライド式のドアと、第２の空間領域側のドアの枠部に設けられたドア枠部用の電子タグと、管理対象となる人又は物に取り付けられて人又は物を特定する人物特定用の電子タグと、第１の空間領域に設けられ人物特定用の電子タグの情報を読み取り、かつドアが開いている場合にはドア枠部用の電子タグの情報を読み取り、ドアが閉じている場合にはドア用の電子タグの情報を読み取らない非接触の第１の読み取り手段と、第２の空間領域に設けられ人物特定用の電子タグの情報を読み取る第２の読み取り手段と、第１の読み取り手段及び第２の読み取り手段で読み取った情報に基づき人又は物の移動を管理する管理手段とを備えたので、簡易な装置構成で誤作動を防止することができる。
【図面の簡単な説明】
【００１４】
【図１】本発明の実施の形態１を説明するための図である。
【図２】本発明の実施の形態１を説明するための図である。
【図３】本発明の実施の形態１を説明するための図である。
【図４】本発明の実施の形態１を説明するための図である。
【図５】本発明の実施の形態１を説明するための図である。
【図６】本発明の実施の形態２を説明するための図である。
【図７】本発明の実施の形態３を説明するための図である。
【図８】本発明の実施の形態４を説明するための図である。
【図９】本発明の実施の形態５を説明するための図である。
【図１０】本発明の実施の形態６を説明するための図である。
【発明を実施するための形態】
【００１５】
実施の形態１．
図１は本発明の実施の形態１を説明するための図である。具体的には、非接触式の電子タグ（ＲＦＩＤなど）を用いた人又は／及び物の出入りを管理するための人物流管理装置の概略図である。ここで、人又は／及び物とは、人のみ、物のみ、人と物の両方のことであり、人及び物のいずれか一方を含むことを意味している。
【００１６】
扉１１に対して、２つの読み取り装置２１，２２を用意し、これを扉１１の室内側、室外側の両側に設置する。室内側、室外側は、壁によって第１の空間領域及び第２の空間領域に区切られたものに対応している。ここに、扉１１の出入りを許可された電子タグ４を持つ管理対象人物３が扉１１を通過しようとすると、扉１１の出入り両側に設けられた読み取り装置２１，２２が電子タグ４からのＩＤ情報を読み取り、認証の状態を管理する管理装置５にＩＤ情報を伝える。扉１１は、扉１１の面に設けられた扉用の電子タグ４１を備えている。例えば、扉用の電子タグ４１は扉１１の上部に取り付けられることで、読み取り装置２１，２２との間に遮蔽物が介在することが少なくなる。
【００１７】
管理装置５は、電子タグ４が扉１１の出入りを許可されたものであれば扉開閉機８に扉１１の開放命令を指示し、扉１１を開放する。一方、許可されていない電子タグ４を持つ管理対象人物３が扉１１を通過しようとする場合は、管理装置５が扉開放命令を発行しないため、扉１１は開くことができない。電子タグ４を持たない人物３が扉１１を通過しようとする場合も、管理装置５が扉開放命令を発行しないため、扉１１は開くことがない。
【００１８】
信号機９は必要に応じて設置されるものであり、認証の可否、扉１１の施錠・開錠の状態を使用者に音または光によって通達する。また、信号機９の情報をシステムの管理者に通報する。
【００１９】
ここで管理対象人物３の入退室を管理する場合、読み取り装置２１，２２によって電子タグ４を読み取る順番によって管理を行うことになる。室内側の読み取り装置２１、室外側の読み取り装置２２とした場合、室内側の読み取り装置２１、室外側の読み取り装置２２の順番で電子タグ４が読み取られた場合は、管理対象人物３が退室したものと判断する。一方、室外側の読み取り装置２２、室内側の読み取り装置２１の順番で読み取られた場合は、管理対象人物３が入室したものと判断する。このような入退室管理は例えばセキュリティシステム分野で用いられ、重要施設の入場口などに設置され、入退場者の制限・チェックなどに用いられる。また、入退場を管理することにより、場内・施設内の在場人数の管理に用いられるなど、正確な運用が求められるときに役立つものである。
【００２０】
ここでは、説明を分かりやすくするため、管理対象人物３を人間のイメージで説明したが、人間に限られず物であっても同じようにして管理することができる。これ以降の説明でもこのことは同様であり、特に断らない限り、人の流れと物流に共通した人及び物流管理装置である。
【００２１】
図２は本発明の実施の形態１を説明するための図である。具体的には、システムの俯瞰図を示している。施設の壁７１，７２に対して扉１１が設置され、扉１１が回転軸１２によって回転して動く可動範囲６１を扇形の点線部にて示している。室内側の読み取り装置２２、室外側の読み取り装置２１は図のように、扉１１を挟むように天井、壁面、床面、扉自身など、扉１１の付近に固定・可動状態で設置される。なお、管理装置５等は図示していない。また、図において、同一の符号を付したものは、同一またはこれに相当するものであり、このことは明細書の全文において共通することである。また、明細書全文に表れている構成要素の形容は、あくまで例示であってこれらの記載に限定されるものではない。
【００２２】
説明の便宜上、室内・室外と表現しているが、室内外が逆でも同じことである。壁７１，７２によって第１の空間領域９２及び第２の空間領域９１に区切られた間に設けられ第１の空間領域側に開く扉１１として、ここでは説明する。第２の空間領域９１側の扉１１の面に設けられた扉用の電子タグ４１が設けられている。例えば、扉用の電子タグ４１は、扉１１の中で回転軸１２からも最も遠い位置、つまり回転軸とは反対側となる位置に取り付けるなどして、もっとも扉１１の開閉状態に対して適切に反応する位置に取り付けられるものである。また、管理対象となる人又は物に取り付けられて人又は物を特定する人物特定用の電子タグ４を管理対象人物３が備えている。なお、電子タグ４１は扉１１に複数設けることでより確実に扉１１の開閉状態を把握することができる。
【００２３】
図中では管理対象人物３が、管理対象用の電子タグ４を保持した状態で退室する様子を示している。ここで図中のように扉１１を開放、通り抜ける際には室内側の読み取り装置２２、室外側の読み取り装置２１から、同時に管理対象用の電子タグ４が読み取り可能な状態となる場合がある。この状態で管理対象人物３が素早く扉１１を通過、立ち去る場合には、室内側の読み取り装置２２、室外側の読み取り装置２１の読み取りタイミングがほぼ同時になり、正確に入室方向への移動と退室方向への移動を判断することが難しくなることがある。
【００２４】
さらに、この状態で、現在扉１１を通過中の管理対象人物３以外に、別の管理対象用電子タグ４を持つ管理対象人物３が扉１１に接近した場合、同様に、室内側の読み取り装置２２、室外側の読み取り装置２１から、同時に管理対象用電子タグ４が読み取り可能な状態となり、接近方法の判定も難しくなる。
【００２５】
この問題に対して、特許文献１における従来技術では読み取り装置の数を２倍の４個に増やし、設置方法も厳密にすることで対応している。しかし、読み取り装置の増加によるコスト増、厳密な設置方法を必要とすることから、設置工事費用の増大という新たな課題を生むことになっている。
【００２６】
図３は本発明の実施の形態１を説明するための図である。扉１１が金属製など電波をある程度遮断する素材であれば、室外側の読み取り装置２１からは扉用電子タグ４１が読み取れるが、室内側の読み取り装置２２からは読み取ることができない。また、木製扉のように電波の透過性の高い扉であっても、扉用電子タグ４１の設置面に対して、金属板を設けるなど、電波の透過を遮断、遮蔽することで同様の効果が得られる。
【００２７】
図４は本発明の実施の形態１を説明するための図である。扉１１が開放されているため、室外側の読み取り装置２１、室内側の読み取り装置２２共に扉用電子タグ４１を読み取ることが可能になる。よって、室内側の読み取り装置２２ら扉用電子タグ４１が読み取れるかどうかにより、扉１１の開閉の状態を把握することができる。扉１１が閉じている状態のときのみ、室内側の読み取り装置２２、室外側の読み取り装置２１より扉用電子タグ４１を読み取ることにより、２つの読み取り装置２１，２２から同時に扉用電子タグ４１を読み取ることができる時間を制限することができる。
【００２８】
読み取り手段２２は、第１の空間領域９２に設けられ人物特定用の電子タグ４の情報を読み取り、かつ扉１１が開いている場合には扉用の電子タグ４１の情報を読み取り、扉１１が閉じている場合には扉用の電子タグ４１の情報を読み取らない非接触の第１の読み取り手段となる。一方、読み取り手段２１は第２の空間領域９１に設けられ人物特定用の電子タグ４の情報を読み取る非接触の第２の読み取り手段となる。また、管理手段５は、第１の読み取り手段２２及び第２の読み取り手段２１で読み取った情報に基づき人又は物の移動を管理している。
【００２９】
このように、扉１１の開閉状態を扉１１の施錠状態などの情報を扉１１の付帯設備から得ることなく、扉１１の開閉状態について扉用電子タグ４１を用いることで管理することができる。電子タグは自由に移動する物（人）に付けられることが通常であるが、ここでは移動の軌跡が限られている扉１１に設けられている。
【００３０】
管理装置５によって、管理対象となる人物３の認証方法、管理方法は、以下のように各種考えられる。例えば、扉１１が木製など、電波の透過性が比較的良い材質の場合、扉用電子タグ４１は室内側の読み取り装置２２、室外側の読み取り装置２１双方から読み取ることが可能である。しかし、扉１１によりある程度は電波が遮断される。このため、扉１１を挟んで反対側の読み取り装置２２では、電波の強度が弱い場合、扉１１が閉まっていると判断することができる。
【００３１】
また、扉１１が開いている状態、閉じている状態で処理方法を変更し、例えば扉１１が開いている状態では、その時点で読み取られている管理用電子タグ４とは別のタグを検知した場合、共連れ警告することで二人以上の同時通過を阻止するなど、一人一人の確実な出入り方向の判定を行うことができる。
【００３２】
また、２つの読み取り装置２１，２２から同時に扉用電子タグ４を読み取ることができる範囲においては、管理対象人物３が室内にいるのか、室外にいるのか判断が難しく、この状態で、電波が管理対象人物３によって遮断されることにより読み取りが不安定になった場合、さらに判断が難しくなる。
【００３３】
このような、扉開放時の誤った入退室の判断を避けるために、扉１１が閉じた状態での判断のみを行う、あるいは扉１１が閉じた状態と開いた状態で異なった処理方法を行うことにより入退室の管理を正確に行うことができる。また、一般的な入退室を行う人及び物流管理装置と同様に、読み取り装置２１，２２を２つに抑えることができ、設置条件も従来技術に比べ容易である。
【００３４】
扉用電子タグ４１の設置が必要になるが、読み取り装置２１，２２の装置コストに比べてコストを大幅に削減することができ、簡易な装置構成で誤作動を防止することができことになる。扉用電子タグ４１には、無電源式、電池式を用いた場合、配線工事も不要であり、設置コストも抑えることができる。一般的に管理対象に付与される電子タグを、管理を行う装置・システム側に付与し、動作を管理することにより、物流管理の精度を向上させ、かつ人及び物流管理装置のコストを引き下げることが可能になる。
【００３５】
図５は本発明の実施の形態１を説明するための図である。管理対象人物３が扉１１を通過後、扉用電子タグ４１と室外側の読み取り装置２１の間に存在する場面を示している。このとき、読み取り装置２１と扉用電子タグ４１との位置関係によっては、扉用電子タグ４１は管理対象人物３によって電波が遮断され、室外側の読み取り装置２１から読み取ることができないこともあり得る。
【００３６】
このような場合には、室外側の読み取り装置２１から扉用電子タグ４１が読み取れない状況は扉１１の開閉とは関係がなく、障害物が扉１１との間に存在するものと判断できる。一方で管理対象用電子タグ４が読み取れた場合、上記障害物が管理対象人物３と判断でき、管理対象者人物３が室外側に存在すると判断が可能になる。よって、管理対象人物３による扉用電子タグ４１の遮断を判断することにより、管理対象人物３が室内側にいるのか、室外側にいるのかを判断することができ、入退室の管理が可能になる。
【００３７】
また、扉１１の通過センサが設置されている場合、あるいは扉開閉状態の情報が取得可能な場合、これらの情報から扉１１の開閉を判断し、扉用電子タグ４１の遮蔽状態から管理対象人物３の室内外の判断を行うということも可能である。
【００３８】
さらに、入室方向、あるいは退室方向のいずれか一方のみを管理すればよい場合、あるいは、扉１１の通過事実のみを管理すればよい場合など、厳密な入退室管理が不要な場合、読み取り装置２１，２２をいずれか必要な方向一方のみにすることも可能である。特に、扉の開閉との関係で読み取り装置２１を省略することができる。
【００３９】
また、管理対象人物用タグ４保持者のみが通行すると限定されており、通過あるいは通過方向のみを管理したい場合、あるいは、管理対象人物用タグ４を持たない人物による入退室を認める扉の場合、施錠・開錠機能を持たなくとも良い。
実施の形態２．
図６は実施の形態２を説明するための図である。扉１１の開き方向とは反対側に扉用電子４１を設置するだけではなく、扉用電子タグ４２を扉１１の開き方向、室内側の読み取り装置２２側に設置することも可能である。この場合、室内側の読み取り装置２２の設置位置を回転軸１２より扉のノブがある側にすることで、扉開放状態で、室内側の読み取り装置２２から扉用電子タグ４２が読み取り不能、扉が閉じると読み取り可能になり、扉の開閉状態の判別が可能になる。
【００４０】
さらに、扉用電子タグ４１（４２）を扉１１の片側ではなく、もう一方の側にも扉用電子タグ４２（４１）を設置し、扉１１の両側に設置することも可能である。両側に設置した場合、室内側の読み取り装置２２、室外側の読み取り装置２１の各々で扉１１の開閉状態を監視することができることから精度が向上する。また室内側、室外側の双方で管理対象人物３による、扉用電子タグ４１，４２の遮蔽が監視できることから、管理対象人物３の室内外の判定精度が向上する。このように、簡易な装置構成で誤作動を防止することができる。
実施の形態３．
図７は本発明の実施の形態３を説明するための図である。実施の形態１に対して、扉１１に設けられた電子タグ４１の代わりに、扉１１を収納する扉１１の扉枠部１５に、通常は扉を「コの字」で囲む扉枠部１５に扉枠用の電子タグ４３が設けられている。例えば、扉枠用の電子タグ４３は、扉枠部１５の上部に、回転軸１２と反対側の扉１１のノブがある位置の上部に設けることができる。
【００４１】
壁７１，７２によって第１の空間領域９２及び第２の空間領域９１に区切られた間に設けられ第１の空間領域９２側に開く扉１１がある。第２の空間領域９１側の扉１１の枠部に設けられた扉用の電子タグ４３によって、扉の開閉状態を知ることができる。管理対象となる人又は物に取り付けられて人又は物を特定する人物特定用の電子タグ４がある。
【００４２】
非接触の第１の読み取り装置２２は、第１の空間領域９２に設けられ人物特定用の電子タグ４の情報を読み取り、かつ扉１１が開いている場合には扉用の電子タグ４３の情報を読み取り、扉１１が閉じている場合には扉用の電子タグ４３の情報を読み取らない。ここで、扉１１が金属製などであれば、電波を遮蔽する効果が大きいが、木製などの場合は電波を遮蔽する効果が小さい場合があり、扉１１が閉まっている状態でも第１の読み取り装置２２が読み取ってしまう場合がある。このような場合には、扉用の電子タグ４３の下部、扉１１に電波を遮蔽する遮断部材を設置するなどして対策をとることができる。もっとも、扉１１が閉まっている場合、管理手段５で扉用の電子タグ４３に対する電波が微弱であるため、閾値を設けることで扉の開閉を管理することもできる。
【００４３】
第２の読み取り装置２１は、第２の空間領域９１に設けられ人物特定用の電子タグ４の情報を読み取る。なお、第２の読み取り装置２１は、通常、扉用の電子タグ４３を常に読み込んでいる状態である。
【００４４】
管理手段５は、第１の読み取り装置２２及び第２の読み取り装置２１で読み取った情報に基づき人又は物の移動を管理する。管理対象人物３が備えている電子タグ４を通じて管理対象人物３を認証することになる。具体的な認証方法は実施の形態１と同様にして行うことができる。また、実施の形態１で述べた様々な効果を得ることができ、簡易な装置構成で誤作動を防止することができる。第２の空間領域９１側の扉１１の面に設けられた扉用の電子タグ４１を更に備えることで、実施の形態１と組み合わせて、実施することもできる。
実施の形態４．
図８は本発明の実施の形態４を説明するための図である。壁７１，７２によって第１の空間領域９２及び第２の空間領域９１に区切られた間に、左右方向に稼働するスライド式のドア１３が設けられている。ドア１３は矢印の方向にスライドされ、ドア１３が開く際にはドア１３を収納し電波を遮蔽するドア収納部７５に収納される。ここで、電波を遮蔽するには、例えば、電波を遮蔽する金属などの遮蔽部材７４をドア収納部７５が備えていればよい。ドア用の電子タグ４４が第１の空間領域９１側のドア１３の面に設けられている。ここでも、電子タグ４４は、通常、ドア１３の上部に設けられ、また、ドア１３の収納が開始すれば直ぐに電波が遮断されるようにドア収納部７５に近い位置に設けられる。管理対象となる人又は物（管理対象人物３）は人又は物を特定する人物特定用の電子タグ４を取り付けている。
【００４５】
（第１の）読み取り装置２１は、非接触で第１の空間領域９１に設けられ人物特定用の電子タグ４の情報を読み取り、かつドア１３が閉じている場合にはドア用の電子タグ４４の情報を読み取り、ドア１３が開いている場合にはドア用の電子タグ４４の情報を読み取らない。（第２の）読み取り装置２２は、非接触で第２の空間領域９２に設けられ人物特定用の電子タグ４の情報を読み取る。
【００４６】
管理手段５（図示せず）は、第１の読み取り装置２２及び第２の読み取り装置２１で読み取った情報に基づき人又は物の移動を管理する。管理対象人物３が備えている電子タグ４を通じて管理対象人物３を認証することになる。具体的な認証方法は実施の形態１と同様にして行うことができる。また、実施の形態１で述べた様々な効果を得ることができ、簡易な装置構成で誤作動を防止することができる人物流管理装置である。
【００４７】
なお、ドア１３は自動ドアでも同様のことがいえる。また、ドア収納部７５は戸袋状とは限らず、開放型であってもドア１３が閉じている場合に、読み取り手段２１が電子タグ４４を読み取らなければよい。
【００４８】
エレベータに用いることにより、管理対象人物３が何階から何階へ移動したのか、フロア間の移動も判断することができる。また、車両通過用ゲート、通過車両や、その車両が積載する荷物に電子タグ４を設置することにより、例えば、フォークリフト、トラックなど、物資輸送用車両や輸送対象物資の入出管理、流通管理を行うことができる。
【００４９】
さらに、物資倉庫、貯蔵庫の物資保管場所に電子タグを設置することにより、電子タグが読めなくなることにより、保管場所が何らかの形で占有されていることが監視でき、保管場所の空き状況管理にも用いることができる。駐車場においては、その駐車スペース毎に電子タグを設置することにより、駐車スペース毎に特別な機器を用意・設置する必要なく、電子タグを設置するだけで、駐車場の入庫状況管理を行うことができる。
実施の形態５．
図９は実施の形態５を説明するための図である。壁７１，７２によって第１の空間領域９２及び第２の空間領域９１に区切られた間に、左右方向に稼働するスライド式のドア１３が設けられている。ドア１３は矢印の方向にスライドされて、ドア１３の開閉がなされる。第２の空間領域９２側のドア１３のドア枠部７６には、ドア枠部用の電子タグ４５が設けられている。なお、図ではドア枠部７６は点線で表示している。
【００５０】
ドア１３は矢印の方向にスライドされ、ドア１３が開く際にはドア１３がドア収納部７５に収納される。ここではドア１３が電波を遮蔽することになる。電波を遮蔽するには、例えば、ドア１３が金属部材で構成されている場合がある。また、非金属、例えば、ガラス部材の場合には、ドア１３が閉まっているときにのみ、電子タグ４５と非接触の読み取り装置２１との間に電波が遮蔽されるように、遮蔽部材を設ければよい。遮蔽部材はドア１３の電子タグ４５相当部に設けることになる。また、電子タグ４５は、通常、ドア枠部４５の上部に設けられ、また、ドア１３の収納が開始すれば直ぐに電波が通るようにドア収納部７５と反対側に近い位置に設けられる。管理対象となる人又は物（管理対象人物３）は人又は物を特定する人物特定用の電子タグ４を取り付けている。
【００５１】
非接触の（第１の）読み取り手段２１は、第１の空間領域９１に設けられ人物特定用の電子タグ４の情報を読み取り、かつドア１３が開いている場合にはドア枠部用の電子タグ４５の情報を読み取り、ドアが閉じている場合にはドア枠部用の電子タグ４５の情報を読み取らない。（第２の）読み取り装置２２は、第２の空間領域９２に設けられ人物特定用の電子タグ４の情報を読み取る。なお、第２の読み取り装置２１は、通常、ドア枠部用の電子タグ４５を常に読み込んでいる状態である。
【００５２】
管理手段５（図示せず）は、第１の読み取り装置２２及び第２の読み取り装置２１で読み取った情報に基づき人又は物の移動を管理する。管理対象人物３が備えている電子タグ４を通じて管理対象人物３を認証することになる。具体的な認証方法は実施の形態１と同様にして行うことができる。また、実施の形態１及び４で述べた様々な効果を得ることができ、簡易な装置構成で誤作動を防止することができる人物流管理装置である。さらに、第１の空間領域９１側のドア１３の面に設けられたドア用の電子タグ４３を更に備えることで、実施の形態４と組み合わせて、実施することもできる。
実施の形態６．
図１０は実施の形態６を説明するための図である。ここでは、管理対象人物３が扉、ドアを出入りする箇所を総称して、出入口７７として点線で表示している。この出入口７７は実施の形態１から５の扉あるいはドアに相当する箇所であり、本実施の形態は、実施の形態１から５のいずれかを前提にして、さらに構成物を加えたものである。
【００５３】
具体的には、壁７１，７２によって第１の空間領域及び第２の空間領域９１，９２に区切られた間に設けられた出入口７７周辺の床に網目状に複数の床用の電子タグ７８が設けられている。ここで、網目状とは、格子状、放射状を含む概念であり、無数の床用の電子タグ７８が床一面に埋め込まれている状態である。また、第１及び第２の読み取り手段２１，２２は床用の電子タグ７８の情報を読み取り、管理装置５（図示せず）は人又は物の軌跡に基づいて人又は物の移動を管理している。
【００５４】
床面上に床面設置電子タグ７８が大量に設置されている。床面設置電子タグ７８の一部が読み取れなくなった場合、扉（ドア）による電波妨害を除けば、管理対象人物３などによる遮断と考えられる。床面設置電子タグ７８の設置位置を把握しておくことにより、床面設置電子タグ７８の一部が読めなくなった場合、この読めなくなった電子タグ７８の位置に管理対象人物３又は他の障害物の設置・通過などと判断することができ、管理対象人物３の通過方向の正確な判断、他障害物の検知も可能となる。
【００５５】
床面設置電子タグ７８が疎に設置されていた場合は、管理対象人物３や障害物により十分遮断できず、床面設置電子タグ７８の読み取りが可能な場合もある。床面設置電子タグ７８が完全遮断されていないときにこのような事象がおきる可能性がある。この様な場合、床面設置電子タグ７８と読み取り装置２１，２２の間にやり取りされる電波が部分的に遮断されていれば、読み取り時の電波強度を測定することにより、電波強度が遮断されていない状態に比べて低いものとなるため、部分遮断が起こっているものと判断できる。このような部分遮断状態を判断することにより、管理対象人物３や障害物の有無を判断することが可能である。
【００５６】
なお、部分遮断は、床面設置電子タグ７８に比べて、管理対象人物３や障害物の大きさが十分に大きくない場合、厚みが薄い、内部構造が希薄等の理由により電波の透過性が良い場合、部分的に床面設置電子タグ７８が隠蔽された場合、床面設置電子タグ７８と管理対象人物３や障害物との間の距離が十分に存在する場合などに起こりうる。
【００５７】
また、床面設置電子タグ７８を近接に床面に設置した場合、床面上での管理対象人物３の他にも、床面上に設置された、あるいは移動中の障害物の有無が判断できる。同様に壁面、天井面、扉自身への設置を行うことで、壁面、天井面、扉付近についても管理対象人物３、障害物の有無を判断することができる。また、読み取り装置と共に建物必要部部分に配置することにより、その配置された領域において人の流れを監視することができる。例えば、イベント施設の通路、エスカレータ、エレベータなど、人物の移動スペースに適宜配置することで、目視による確認の必要なく、人の偏在、混雑箇所の把握ができ、小売販売店の通路に設置することにより、プライバシーを侵害することなく人の流れを把握することができ、マーケティング応用に利用することができる。このように、簡易な装置構成で誤作動を防止することができる人物流管理装置である。
【符号の説明】
【００５８】
３  管理対象人物、４  電子タグ、５  管理装置、９  信号機、１１  扉、１２  回転軸、１３  ドア、１５  扉枠部、２１，２２  読み取り装置、４１，４２，４３，４４，４５  電子タグ、６１  可動範囲、７１，７２  壁、９１，９２  空間領域、７４  遮蔽部材、７５  ドア収納部、７６  ドア枠部、７７  出入口、７８  電子タグ。
【図１】
2011048750.tif 000003
【図２】
2011048750.tif 000004
【図３】
2011048750.tif 000005
【図４】
2011048750.tif 000006
【図５】
2011048750.tif 000007
【図６】
2011048750.tif 000008
【図７】
2011048750.tif 000009
【図８】
2011048750.tif 000010
【図９】
2011048750.tif 000011
【図１０】
2011048750.tif 000012